(57)【特許請求の範囲】
【請求項１】
コンピュータシステムの動作用の少なくとも１つの第１供給電圧を提供する電源ユニットと、
前記少なくとも１つの第１供給電圧を分配する少なくとも１つの第１電力供給ラインを有するシステムボードと、
前記システムボード上に構成され、ユーザプログラムのプログラムコードを実行するため、前記第１電力供給ラインに接続される少なくとも１つのプロセッサと、
前記システムボード上に構成され、当該コンピュータシステムの適切な処理及び設定をモニタリングし、アラームメッセージを送出し、データネットワークを介しコンフィギュレーションリクエストを受信するよう構成されるリモートメンテナンスのためのプログラムコードを実行するマイクロコントローラを有するシステムモニタリングモジュールと、
前記システムモニタリングモジュールに接続され、当該コンピュータシステムと前記データネットワークとを接続する少なくとも１つのネットワークインタフェースと、
前記ネットワークインタフェースに接続され、前記ネットワークインタフェースを介し提供されるリモートフィード電圧をタップオフし、前記リモートフィード電圧から生成される第２供給電圧を前記システムボードの少なくとも１つの第２電力供給ラインに供給する少なくとも１つのスプリッタであって、当該コンピュータシステムが電源ネットワークから完全に分離された場合でも、前記システムモニタリングモジュールに、シンプルなリモートメンテナンスタスク及び照会を実行するのに十分なエネルギーが供給可能となるように、前記第２電力供給ラインは前記システムモニタリングモジュールに接続される、前記少なくとも１つのスプリッタと、
を有するコンピュータシステム。
【請求項２】
前記ネットワークインタフェース及び前記スプリッタは、前記システムボード上に構成される、請求項１記載のコンピュータシステム。
【請求項３】
前記ネットワークインタフェース及び前記スプリッタは、ネットワークコントローラを有するネットワークカード上に構成され、
前記システムボードは、前記スプリッタによりタップオフされたリモートフィード電圧又は前記第２供給電圧をケーブルリンクを介し供給するためプラグインコネクタを有する、請求項１記載のコンピュータシステム。
【請求項４】
前記電源ユニットは、プライマリグリッド電圧を遮断するため少なくとも１つのスイッチング要素を有し、
前記システムモニタリングモジュールは、少なくとも１つの制御ラインを介し前記電源ユニットに接続され、前記電源ユニットが前記プライマリグリッド電圧に接続されるように、リモートメンテナンスのためのプログラムコードに含まれるリモートメンテナンスコマンドからのリクエストに応答して、前記スイッチング要素をクローズするよう構成される、請求項１乃至３何れか一項記載のコンピュータシステム。
【請求項５】
前記少なくとも１つのスイッチング要素は、リレイであり、
前記リレイの駆動コイルには、前記第２供給電圧からのスイッチングエネルギーが供給される、請求項４記載のコンピュータシステム。
【請求項６】
前記リモートメンテナンスのためのプログラムコードは、第１及び第２リモートメンテナンス機能セットを有し、
前記システムモニタリングモジュールは、前記第１又は第２供給電圧がある場合に前記第１リモートメンテナンス機能セットを実行し、少なくとも前記第２供給電圧しかない場合に前記第２リモートメンテナンス機能セットを実行するよう構成される、請求項４記載のコンピュータシステム。
【請求項７】
リモートメンテナンスのための装置であって、
第１ネットワークインタフェースを有する少なくとも１つのリモートメンテナンスシステムと、
第２ネットワークインタフェースを有する請求項１記載の少なくとも１つのコンピュータシステムと、
少なくとも１つの第１ネットワークポートと少なくとも１つの第２ネットワークポートとを有する少なくとも１つのネットワークコンポーネントであって、前記ネットワークコンポーネントは、前記第１ネットワークポートを介し前記リモートメンテナンスシステムに接続され、前記第２ネットワークポートを介し前記コンピュータシステムに接続される、前記ネットワークコンポーネントと、
を有する装置。
【請求項８】
前記少なくとも１つのネットワークコンポーネントは、前記第２ネットワークポートにおける前記リモートフィード電圧を選択的にアクティブ化及び非アクティブ化する制御装置を有し、
前記リモートメンテナンスシステムは、前記リモートフィード電圧が前記第２ネットワークポートにおいて提供されるように、リモートメンテナンス機能の実行時に前記制御装置を駆動するよう構成される、請求項７記載の装置。
【請求項９】
リモートメンテナンスシステムを用いてメンテナンスされるコンピュータシステムを選択するステップと、
前記選択されたコンピュータシステムのネットワークインタフェースを介しリモートフィード電圧を提供するステップと、
前記ネットワークインタフェースを介しリモート供給される前記コンピュータシステムのシステムモニタリングモジュールによりリモートメンテナンスのためのプログラムコードを実行するステップと、
前記選択されたコンピュータシステム上でメンテナンス機能を実行するため、前記リモートメンテナンスシステムと前記システムモニタリングモジュールとの間でデータリンクを確立するステップと、
を有するリモートメンテナンス方法。
【請求項１０】
前記選択されたコンピュータシステムの電源ユニットのスイッチング要素をスイッチオンするため第１リモートメンテナンスコマンドを転送するステップと、
前記電源ユニットによって第１供給電圧を前記選択されたコンピュータシステムに供給するステップと、
前記電源ユニットにより前記第１供給電圧が供給される前記コンピュータシステムの少なくとも１つのコンポーネントにアクセスするためのメンテナンス機能を実行するため第２リモートメンテナンスコマンドを転送するステップと、
をさらに有する、請求項９記載のリモートメンテナンス方法。
【発明の詳細な説明】
【技術分野】
【０００１】
本発明は、電源ユニット、システムボード、システムボード上に構成された少なくとも１つのプロセッサ及びシステムボード上に構成されたシステムモニタリングモジュールを有するコンピュータシステムに関する。本発明はまた、当該コンピュータシステムを有するリモートメンテナンス構成及びリモートメンテナンス方法に関する。
【背景技術】
【０００２】
システムボード上に構成されたシステムモニタリングモジュールを有するコンピュータシステムが、従来技術から知られている。例えば、プログラムコードを実行するプロセッサ、コンピュータシステムをスタートするための第１プログラムコードを格納する第１不揮発性メモリ、及びプロセッサと第１不揮発性メモリとに動作接続されるシステムモニタリングモジュールを有するコンピュータシステムが、刊行物ＤＥ１０  ２００６  ０４３６３６  Ａ１から知られている。特に、既知のコンピュータシステムは、コンピュータシステムをスタートするためのプログラムコードを更新する方法が実行されることを可能にする。
【０００３】
例えば、システム調整の実行やフォルト及びステータスメッセージの呼び出しなどの他のメンテナンスタスクがまた、システムモニタリングモジュールを介し実行可能である。リモートの集中化されたリモートメンテナンスシステムを利用したメンテナンスの提供は、好ましくは、ネットワークインタフェースを介しリモートメンテナンスシステムとシステムモニタリングモジュールとの間の通信を要求する。
【発明の概要】
【発明が解決しようとする課題】
【０００４】
このようなコンピュータシステムによる問題は、コンピュータがユーザにより必要とされないスイッチオフ状態においてもまたリモートメンテナンス機能を提供するため、それらに、システムモニタリングモジュールを動作電力を供給し続けるために、いわゆる、スタンバイ供給電圧が供給される必要があるということである。このとき、スタンバイ供給電圧の継続的な供給は、電源システムからの主に不要な電力消費をもたらす。
【０００５】
既知のコンピュータシステムの電力消費をさらに減少させるため、電源ユニットの電圧変換手段がプライマリ供給電圧から完全に絶縁されることを可能にし、スイッチオフ状態においてコンピュータシステムの電力消費を低減する回路構成を有する電源ユニットが、ドイツ特許出願ＤＥ  １０  ２００８  ０３１５３６  Ａ１から知られている。これに説明されている回路構成による問題は、特にリモートメンテナンスが集中的なリモートメンテナンスシステムにより実行されるコンピュータシステムと共に利用するのに適していないということである。
【０００６】
従って、本発明の課題は、コンピュータシステムの電力消費の低減にもかかわらず、リモートメンテナンス機能が実行されることを可能にするコンピュータシステム、コンピュータシステムを有する構成及びリモートメンテナンスを実行する方法を説明することである。
【課題を解決するための手段】
【０００７】
本発明の第１の態様によると、コンピュータシステムの動作用の少なくとも１つの第１供給電圧を提供する電源ユニットと、前記少なくとも１つの第１供給電圧を分配する少なくとも１つの第１電力供給ラインを有するシステムボードと、前記システムボード上に構成され、ユーザプログラムのプログラムコードを実行するため、前記第１電力供給ラインに接続される少なくとも１つのプロセッサとを有するコンピュータシステムが説明される。コンピュータシステムはまた、前記システムボード上に構成され、リモートメンテナンスのためのプログラムコードを実行するマイクロコントローラを有するシステムモニタリングモジュールと、前記システムモニタリングモジュールに接続される少なくとも１つのネットワークインタフェースと、前記ネットワークインタフェースに接続され、前記ネットワークインタフェースを介し提供されるリモートフィード電圧をタップオフし、前記リモートフィード電圧から生成される第２供給電圧を前記システムボードの少なくとも１つの第２電力供給ラインに供給する少なくとも１つのスプリッタであって、前記第２電力供給ラインは前記システムモニタリングモジュールに接続される、前記少なくとも１つのスプリッタとを有する。
【０００８】
コンピュータシステムの異なる電力供給レベルを処理する２つの異なる電力供給ラインを有するコンピュータシステムは、システムモニタリングモジュールにコンピュータシステムの他のコンポーネント、特にプロセッサから独立して電力が供給されることを可能にする。このとき、システムモニタリングモジュールは、第１の態様によりネットワークインタフェースを介し提供される相対的に低いバッテリ電力しか消費しない。例えば、いわゆる、ＩＥＥＥ８０２．３ａｆ及びＩＥＥＥ８０２．３ａｔ規格によるＰｏｗｅｒ−ｏｖｅｒ−Ｅｔｈｅｒｎｅｔ(登録商標)プロトコル（ＰｏＥ）が、この目的のため適している。
【０００９】
効果的な実施例によると、電源ユニットは、プライマリグリッド電圧を遮断する少なくとも１つのスイッチング要素を有する。システムモニタリングモジュールは、少なくとも１つの制御ラインを介し電源ユニットに接続され、電源ユニットがプライマリグリッド電圧に接続されるように、リモートメンテナンスのためのプログラムコードに含まれるリモートメンテナンスコマンドからのリクエストに応答して、スイッチング要素をクローズするよう構成される。このようなコンピュータシステムは、リモート制御の下で電源ユニットがスイッチオンされ、コンピュータシステムのさらなるコンポーネントに供給電圧をさらに供給することを可能にする。
【００１０】
さらなる効果的な実施例によると、リモートメンテナンスのためのプログラムコードは、第１及び第２リモートメンテナンス機能セットを有し、システムモニタリングモジュールは、第１又は第２供給電圧がある場合に第１リモートメンテナンス機能セットを実行し、少なくとも第２供給電圧しかない場合に第２リモートメンテナンス機能セットを実行するよう構成される。このように、リモートメンテナンス機能を第１及び第２セットに分割することは、コンピュータシステムに所望のリモートメンテナンス機能に応じた要求ドリブンな方法により供給電圧が供給されることを可能にする。
【００１１】
本発明の第２の態様によると、第１ネットワークインタフェースを有する少なくとも１つのリモートメンテナンスシステムと、第２ネットワークインタフェースを有する少なくとも１つのコンピュータシステムと、少なくとも１つの第１ネットワークポートと少なくとも１つの第２ネットワークポートとを有する少なくとも１つのネットワークコンポーネントとを有するリモートメンテナンス装置が説明される。ここで、前記ネットワークコンポーネントは、前記第１ネットワークポートを介し前記リモートメンテナンスシステムに接続され、前記第２ネットワークポートを介し前記コンピュータシステムに接続される。当該装置は、特に本発明の第１の態様によるコンピュータシステムのリモートメンテナンスに適している。
【００１２】
効果的な実施例によると、少なくとも１つのネットワークコンポーネントは、第２ネットワークポートにおけるリモートフィード電圧を選択的にアクティブ化及び非アクティブ化する制御装置を有し、リモートメンテナンスシステムは、リモートフィード電圧が第２ネットワークポートにおいて提供されるように、リモートメンテナンス機能の実行時に制御装置を駆動するよう構成される。このような装置は、リモートメンテナンス機能が必要とされない時間に、不要なリモートフィード電圧の提供が省略可能となるように、リモートフィード電圧の要求ドリブンな提供を可能にする。
【００１３】
本発明の第３の態様によると、以下のステップを有するリモートメンテナンス方法が説明される。
−リモートメンテナンスシステムを用いてメンテナンスされるコンピュータシステムを選択するステップと、
−前記選択されたコンピュータシステムのネットワークインタフェースを介しリモートフィード電圧を提供するステップと、
−前記ネットワークインタフェースを介しリモート供給される前記コンピュータシステムのシステムモニタリングモジュールによりリモートメンテナンスのためのプログラムコードを実行するステップと、
−前記選択されたコンピュータシステム上でメンテナンス機能を実行するため、前記リモートメンテナンスシステムと前記システムモニタリングモジュールとの間でデータリンクを確立するステップと、
である。
【００１４】
本発明のさらなる効果的な実施例は、添付した特許請求項及び以下の詳細な説明に説明される。
【図面の簡単な説明】
【００１５】
【図１】図１は、第１実施例によるコンピュータシステムの概略図を示す。
【図２】図２は、図１によるコンピュータシステムを有する構成の概略図を示す。
【図３】図３は、リモートメンテナンス方法のフローチャートを示す。
【発明を実施するための形態】
【００１６】
図１は、コンピュータシステム１を示す。コンピュータシステム１は、例えば、企業ネットワークにおけるワークステーションやサーバコンピュータなどである。実施例では、コンピュータシステム１は、特にシステムボード２及び電源ユニット３を有する。
【００１７】
電源ユニット３は、交流グリッド電圧をシステムボード２のための少なくとも１つの第１供給電圧に変換する電圧変換手段４を有する。実施例では、電圧変換手段４は、２つの異なる供給電圧を第１プラグインコネクタ５を介しシステムボード２に提供する。例えば、これらは、５．０と３．３Ｖの直流電圧である。当然ながら、他の又はさらなる供給電圧がまた、電源ユニット３により提供可能である。
【００１８】
コンピュータシステム１の各種コンポーネントが、システムボード２上に配置される。特に、システムボード２は、プロセッサ６、システムモニタリングモジュール７及びネットワークコントローラ８を有する。他の実施例では、システムモニタリングモジュール７は、一体化されたネットワークコントローラを有する。コンポーネント６，７，８は、１以上のバスシステム９を介し互いに接続される。
【００１９】
実施例では、システムモニタリングモジュール７は、マイクロコントローラ１０及び不揮発性メモリ１１を有する。マイクロコントローラ１０は、特にコンピュータシステム１の適切な処理及び設定をモニタリングするよう構成される不揮発性メモリ１１からのプログラムコードを実行する。特に、このようなモジュールはまた、ベースボードマネージメントコントローラ（ＢＭＣ）、リモートマネージメントチップセット（ＲＭＣ）又はシステムマネージメントモジュールとして知られる。システムモニタリングモジュール７は、例えば、バスシステム９を介し又は図１に示されない他のシステムマネージメントバスを介し、コンピュータシステム１のプロセッサ６及び他のコンポーネントにアクセス可能である。
【００２０】
さらに、システムモニタリングモジュール７は、ネットワークコントローラ８にアクセス可能であり、またネットワークコントローラ８に接続されるデータネットワーク１２を介しアラームメッセージを送出し、コンフィギュレーションリクエストを受信できるように、ネットワークコントローラ８によりアクティブ化可能である。このため、ネットワークコントローラ８は、物理リンクを確立し、ネットワーク媒体にアクセスするのに要求されるコンポーネントを少なくとも有する。適切なプロトコルを実現するための他のコンポーネント、特にソフトウェアコンポーネントは、例えば、システムモニタリングモジュール７により実行されるプログラムコードなどに含めることができる。このために適したプロトコルの具体例は、いわゆる、インテルによる“ａｃｔｉｖｅ  ｍａｎａｇｅｍｅｎｔ  ｔｅｃｈｎｏｌｏｇｙ”（ｉＡＭＴ）やＤｉｓｔｒｉｂｕｔｅｄ  Ｍａｎａｇｅｍｅｎｔ  Ｔａｓｋ  Ｆｏｒｃｅ（ＤＭＴＦ）の“ｄｅｓｋｔｏｐ  ａｎｄ  ｍｏｂｉｌｅ  ａｒｃｈｉｔｅｃｔｕｒｅ  ｆｏｒ  ｓｙｓｔｅｍ  ｈａｒｄｗａｒｅ”（ＤＡＳＨ）から知られている。
【００２１】
コンピュータシステム１はさらに、コンピュータシステム１とデータネットワーク１２とを接続するためのネットワークインタフェース１３を有する。図示される実施例では、ネットワークインタフェース１３は、システムボード２に直接的には接続されない。その代わりに、ネットワークインタフェース１３を介し提供されるリモートフィード電圧をタップオフするためのスプリッタ１４とネットワークインタフェース１３との間に接続がある。図示される実施例では、リモートフィード電圧が第２電圧変換手段１５に供給される。例えば、第２電圧変換手段１５は、例えば、４８Ｖのリモートフィード電圧から５Ｖなどの第２供給電圧を生成する直流電圧コンバータである。対応する電圧のケースでは、リモートフィード電圧は、当然ながら第２供給電圧として直接利用可能である。このとき、第２電圧変換手段１５は省かれる。第２供給電圧は、システムボード２の第２プラグインコネクタ１６を介し提供される。さらに、受け取ったネットワークシステムの交流電圧コンポーネントが、第３プラグインコネクタ１７を介しネットワークコントローラ８に提供される。提供される交流電圧コンポーネントは、データネットワーク１２を介し送信される有用なデータを含み、典型的には、リモートフィード直流電圧を有しない。
【００２２】
コンポーネント１３，１４，１５は、本発明の異なる実施例では、システムボード２から分離されたネットワークカード上のネットワークコントローラ８と結合して、コンピュータシステム１の別の単一のコンポーネントとして、又はシステムボード２上に構成されたシステムコンポーネントとして備えることが可能である。コンポーネントが共通のボード上に結合して構成されない場合、コンポーネントと互いに電気接続するため、対応する接続が、例えば、プラグインコネクタの形態などにより提供される必要がある。
【００２３】
スイッチオフ状態のプライマリ交流グリッド電圧からコンピュータシステム１を分離するため、電源ユニット３は、任意的に、プライマリグリッドラインを分離するためのスイッチング要素１８を有する。スイッチング要素１８は、例えば、必要に応じてコンピュータシステム１の適切な制御電子機器によりスイッチオン又はオフされるリレイなどである。
【００２４】
コンピュータシステム１の異なるコンポーネントに電力を供給するため、異なる電力供給レベルを規定する少なくとも１つの第１供給ライン１９及び第２供給ライン２０が、システムボード２に備えられる。当然ながら、複数の供給ラインが、例えば、異なる電圧又は冗長な供給パスなどのために備えることが可能である。図示される実施例では、第１供給ライン１９が、特に電源ユニット３の第１電圧変換手段４により提供される３．３Ｖの供給電圧をプロセッサ６に供給するため利用される。第２供給ライン２０は、第２供給レベルを介しシステムモニタリングモジュール７及びネットワークコントローラ８を供給するため利用される。
【００２５】
実施例では、第２供給ライン２０に、任意的には、電源ユニット３の第１電圧変換手段１５によって、又はスプリッタ１４に接続される第２電圧変換手段１５によって、５．０Ｖの直流電圧が供給される。実施例では、スイッチング装置２１がこのために利用される。最もシンプルなケースでは、スイッチング装置２１は、単に注入ダイオードを介し提供された供給電圧を注入するための注入回路である。当然ながら、電源ユニット３が動作中であるときには供給源として第１電圧変換手段４を選択し、電源ユニット３がオフであるときには供給源として第２電圧変換手段１５を選択するアクティブなスイッチング装置２１がまた、備えることができる。
【００２６】
図示される実施例では、システムモニタリングモジュール７は、制御ライン２２及び第４プラグインコネクタ２３を介し電源ユニット３のスイッチング要素１８に接続される。システムモニタリングモジュール７は、制御ライン２２を用いて、必要に応じて電源ユニット３をスイッチオンすることができる。例えば、第２供給電圧は、電力トランジスタを介しリレイの駆動コイルに接続可能である。
【００２７】
図１に示されるコンピュータシステム１は、特に以降のテキストにおいて図２を参照して説明されるような構成のリモートメンテナンスと、以降のテキストにおいて図３を参照して説明されるようなリモートメンテナンス方法を実行するのに適している。
【００２８】
図２において、コンピュータシステム１及びネットワークスイッチ２４を有する構成が示される。ネットワークスイッチ２４は、ｎ個のネットワークポート２５．１〜２５．ｎを有する。ネットワークスイッチ２４は、例えば、いわゆる、ＩＥＥＥ規格８０２．３ａｆ又は８０２．３ａｔによる管理されたＰｏｗｅｒ−Ｏｖｅｒ−Ｅｔｈｅｒｎｅｔスイッチである。ネットワークスイッチ２４は、リモートフィード電圧が個々のネットワークポート２５．１〜２５．ｎに選択的に印加可能なマイクロコントローラの形態によるインビルド制御装置２６を有する。このため、ネットワークスイッチ２４はまた、インビルド電源ユニット２７を有する。
【００２９】
図示される実施例では、コンピュータシステム１は、第１ネットワークライン２８を介しネットワークスイッチ２４のネットワークポート２５．ｎに接続される。さらに、リモートメンテナンスシステム３０は、ネットワークポート２５．１及び第２ネットワークライン２９を介しネットワークスイッチ２４に接続される。リモートメンテナンスシステム３０では、制御装置２６を駆動するためのプログラムコードと、コンピュータシステム１をモニタリングするためのシステムモニタリングモジュール７により実行されるプログラムコードとを有するリモートメンテナンスアプリケーション３１が実行される。ネットワークスイッチ２４の代わりに、ブリッジやハブなどの他のネットワークコンポーネントがまた、コンピュータシステム１及びリモートメンテナンスシステム３０を接続するため利用可能である。
【００３０】
図３は、図２による構成における図１によるコンピュータシステム１のリモートメンテナンス方法を示す。
【００３１】
第１ステップＳ１では、リモートメンテナンスシステム３０は、リモートメンテナンスされるコンピュータシステム１を選択する。例えば、新たなファームウェアコンポーネントがインストールされるコンピュータシステム１が、インベントリリストを有する電子データベースから選択できる。
【００３２】
任意的なステップＳ２では、選択されたコンピュータシステム１に割り当てられるネットワークポート２５．ｎが、リモートフィード電圧を供給するためアクティブ化される。例えば、リモートメンテナンスシステム３０は、選択されたコンピュータシステム１が何れのネットワークポート２５に接続されているか同一の又は他のデータベースから照会できる。ネットワークスイッチ２４のマネージメントインタフェースを介し、それの制御装置２６は、このときに、対応するネットワークポート２５．ｎにネットワークスイッチ２４の電源ユニット２７によりリモートフィード電圧が供給されるように駆動される。当該コンフィギュレーションは、例えば、ネットワークスイッチ２４のウェブインタフェースを介して手動により、又はリモートメンテナンスアプリケーション３１により自動的に実行可能である。しかしながら、原則的には、リモートフィード電圧をネットワークポート２５に永久に印加することも可能である。
【００３３】
以降のステップＳ３では、コンピュータシステム１のシステムモニタリングモジュール７には、第２供給ライン２０を介し供給電圧が供給される。このため、ネットワークスイッチ２４により提供されるリモートフィード電圧は、スプリッタ１４においてタップオフされ、第２電圧変換手段１５に提供される。第２電圧変換手段１５は、リモートフィード電圧をシステムモニタリングモジュール７に供給するのに適した第２供給電圧に変換し、それおをシステムボード２の第２プラグインコネクタ１６を介し提供する。
【００３４】
システムモニタリングモジュール７には、シンプルなリモートメンテナンスタスクを実行するのに十分なエネルギーが供給され、例えば、スイッチング要素１８がプライマリグリッドラインを遮断したため、又はユーザがコンピュータシステム１からグリッドプラグをプルしたため、コンピュータシステム１がこの時点で電源ネットワークから完全に分離されたか照会する。特に、ネットワークインタフェース１３を介し提供される１５Ｗまでの電力が、システムモニタリングモジュール７及びネットワークコントローラ８に供給するのに十分である。第２供給電圧があるとき、システムモニタリングモジュール７のマイクロコントローラ１０は、コンピュータシステム１の他のコンポーネントに電力を供給することなく実行可能な第１リモートメンテナンス機能セットを提供するため、不揮発性メモリ１１に格納されているプログラムコードをスタートする。
【００３５】
以降のステップＳ４において、その後、データネットワーク１２を介しリモートメンテナンスシステム３０とシステムモニタリングモジュール７との間の通信が実行可能である。例えば、リモートメンテナンスシステム３０は、システムボード２に格納されているＢＩＯＳ又は他のファームウェアバージョンに関する情報をリクエストするか、又は不揮発性メモリ１１に一時的に格納されているエラーメッセージを抽出することができる。
【００３６】
本発明のさらなる実施例では、上述されたコンピュータシステム１及びリモートメンテナンス方法が、高度なリモートメンテナンスタスクを実行するため、コンピュータシステム１の他のコンポーネントに供給電圧を供給するよう構成される。例えば、プロセッサ６は概して、それの動作のために、ネットワークインタフェース１３を介して提供できない１５Ｗより大きな電力を必要とする。このため、システムモニタリングモジュール７は、図１に示されるように、制御ライン２２を介しコンピュータシステム１の電源ユニット３をアクティブ化するためのスイッチング要素１８に接続される。
【００３７】
図３において、これに必要なステップが、方法ステップＳ４内の任意的なサブステップとして示される。
【００３８】
第１サブステップＳ５において、第１コマンドが、リモートメンテナンスシステム３０からシステムモニタリングモジュール７に転送される。第１コマンドは、コンピュータシステム１のさらなるコンポーネントにアクセス可能となるように、システムモニタリングモジュール７にコンピュータシステム１の電源ユニット３をスイッチオンするよう指示する。
【００３９】
このため、システムモニタリングモジュール７は、適切な駆動信号を制御ライン２２を介しスイッチング要素１８に転送する。これに応答して、スイッチング要素１８は、グリッド電圧が電源ユニット３の電圧変換手段４に切り替えられるように、サブステップＳ６においてクローズされる。これに応答して、電圧変換手段４は、例えば、コンピュータシステム１のシステムボード２に第１プラグインコネクタ５を介し提供される１以上のさらなる供給電圧を生成する。これに応答して、コンピュータシステム１のさらなるコンポーネントがスタートする。例えば、ハードディスクやコンピュータシステム１の他のストレージドライブなど、図１に示されない他のコンポーネント又はプロセッサ６に、第１供給電圧が供給可能である。
【００４０】
コンピュータシステム１のコンポーネントが動作状態にある場合、さらなるコマンドが、さらなるサブステップＳ７において、リモートメンテナンスシステム３０からシステムモニタリングモジュール７に転送され、例えば、コンピュータシステム１のハードディスクドライブ上に新たなファイルをインストールするため、実行可能である。
【００４１】
メンテナンス作業の成功した結末の後、コンピュータシステム１は、もちろん等しく再びシャットダウン可能であり、必要な場合、電源ネットワークから分離可能である。システムモニタリングモジュール７にはまた動作電圧がさらに供給されない場合、コンピュータシステム１に割り当てられているネットワークポート２５．ｎにはもはやリモートフィード電圧が供給されないように、リモートメンテナンスシステム３０は、ネットワークスイッチ２４の制御装置２６を設定できる。
【００４２】
上述されたコンピュータシステム、構成及び方法は、供給電圧がモジュール的にコンピュータシステムの個々のコンポーネントに印加されることを可能にする。これは、コンピュータシステムのメンテナンス性と同時に、コンピュータシステム及び当該コンピュータシステムを有する構成のエネルギー効率をもたらす。理想的には、コンピュータシステムは、電源ネットワークから完全に分離可能である。さらに、現在メンテナンスされているコンピュータシステムのみにリモートフィード電圧を常時供給するように、ネットワークコンポーネントを構成することが可能である。従って、コンピュータシステムが現在メンテナンスされていない場合、コンピュータシステム又はネットワークコンポーネントにより不要なスタンバイ電力は消費されない。
【符号の説明】
【００４３】
１  コンピュータシステム
２  システムボード
３  電源ユニット
４  第１電圧変換手段
５  第１プラグインコネクタ
６  プロセッサ
７  システムモニタリングモジュール
８  ネットワークコントローラ
９  バスシステム
１０  マイクロコントローラ
１１  不揮発性メモリ
１２  データネットワーク
１３  ネットワークインタフェース
１４  スプリッタ
１５  第２電圧変換手段
１６  第２プラグインコネクタ
１７  第３プラグインコネクタ
１８  スイッチング要素
１９  第１供給ライン
２０  第２供給ライン
２１  スイッチング装置
２２  制御ライン
２３  第４プラグインコネクタ
２４  ネットワークスイッチ
２５  ネットワークポート
２６  制御装置
２７  電源ユニット
２８  第１ネットワークケーブル
２９  第２ネットワークケーブル
３０  リモートメンテナンスシステム
３１  リモートメンテナンスアプリケーション
【図１】
0005859562.tif 000002
【図２】
0005859562.tif 000003
【図３】
0005859562.tif 000004